(57)【要約】【課題】脚周りギャザーの身体に対する密着性を向上させて、水様成分の漏出を防止する。【解決手段】吸収体３と、この吸収体を固定する外装体２とを備え、外装体の幅方向側両縁部の各々に沿って着用者の脚周りに接触する一対の脚周りギャザー２２ｄ、２２ｄが形成された紙おむつ１００である。脚周りギャザー２２ｄには、腹側部２ａから股下部２ｃにかけて延在する腹側ゴム５１と、股下部から背側部２ｂにかけて延在する背側ゴム５２とを有する糸ゴム５が設けられている。腹側ゴムは、腹側部側に略直線状に形成された腹側直線状部５１ｂと、腹側直線状部よりも股下部側に、外装体の内側に凸の曲線状に形成された腹側曲線状部５１ｃとを有し、背側ゴムは、背側部側に略直線状に形成された背側直線状部５１ｂと、背側直線状部よりも股下部側に、外装体の内側に凸の曲線状に形成された背側曲線状部５１ａとを有するように、外装体に固着されている。【選択図】図１
2005087621.tif 000002
【特許請求の範囲】
【請求項１】
吸収体と、前記吸収体を固定する外装体とを備え、前記外装体の幅方向側両縁部の各々に沿って着用者の脚周りに接触する一対の脚周りギャザーが形成された吸収性物品であって、
前記脚周りギャザーには、腹側部から股下部にかけて延在する腹側延在部と、前記股下部から背側部にかけて延在する背側延在部とを有する弾性部材が設けられ、
前記腹側延在部が、前記腹側部側に略直線状に形成された腹側直線状部と、前記腹側直線状部よりも前記股下部側に、前記外装体の内側に凸の曲線状に形成された腹側曲線状部とを有し、前記背側延在部が、前記背側部側に略直線状に形成された背側直線状部と、前記背側直線状部よりも前記股下部側に、前記外装体の内側に凸の曲線状に形成された背側曲線状部とを有するように、前記弾性部材は前記外装体に固着されてなることを特徴とする吸収性物品。
【請求項２】
前記吸収体は、前記一対の脚周りギャザーの間にて、前記外装体の長手方向に延在して設けられ、
前記吸収体の幅方向側両縁部に、前記着用者の腹側から背側に亘って接触するギャザーシートが設けられていることを特徴とする請求項１に記載の吸収性物品。
【請求項３】
前記腹側曲線状部は、前記腹側直線状部に連続して形成されるとともに、前記腹側直線状部側の端部が前記着用者の恥骨に対応する位置に設けられていることを特徴とする請求項１又は２に記載の吸収性物品。
【請求項４】
前記背側曲線状部は、前記背側直線状部に連続して形成されるとともに、前記背側直線状部側の端部が前記着用者の坐骨の下側部分に対応する位置に設けられていることを特徴とする請求項１〜３の何れか一項に記載の吸収性物品。
【請求項５】
前記外装体の前記脚周りギャザーよりも外側に、前記着用者の脚周りに対応させて脚周り用開口部が形成され、
前記弾性部材は、前記外装体の前記脚周り用開口部の縁部に、前記弾性部材の配置形状に対応して塗布された接着剤により前記外装体に接着されてなることを特徴とする請求項１〜４の何れか一項に記載の吸収性物品。
【発明の詳細な説明】
【技術分野】
【０００１】
本発明は、吸収性物品に関する。
【背景技術】
【０００２】
従来より、使い捨ての紙おむつや尿取りパッド等に代表される吸収性物品が知られている。
紙おむつは、例えば、吸収体と、この吸収体が固定される外装体とを備えている。そして、外装体の幅方向縁部には、当該外装体の着用者の身体に対する密着性を向上させるために糸ゴム等の弾性部材を有する脚周りギャザーが設けられている（例えば、特許文献１参照。）。
【特許文献１】特開２００３−２１０５０６号公報
【発明の開示】
【発明が解決しようとする課題】
【０００３】
しかしながら、特許文献１等の場合、脚周りギャザーにおける弾性部材の配置が、着用者の股間部やそけい部等の複雑な形状を考慮したものとなっていないため、紙おむつの着用時に脚周りギャザーと着用者の身体との間に隙間が生じて、この隙間から尿等の水様成分が漏出してしまうといった問題がある。
【０００４】
本発明の課題は、脚周りギャザーの身体に対する密着性を向上させることができ、これにより、水様成分の漏出を防止することができる吸収性物品を提供することである。
【課題を解決するための手段】
【０００５】
請求項１に記載の発明は、例えば、図１及び図３等に示すように、
吸収体（３）と、前記吸収体を固定する外装体（２）とを備え、前記外装体の幅方向側両縁部の各々に沿って着用者の脚周りに接触する一対の脚周りギャザー（２２ｄ）が形成された吸収性物品（例えば、紙おむつ１００等）であって、
前記脚周りギャザーには、腹側部（２ａ）から股下部（２ｃ）にかけて延在する腹側延在部と、前記股下部から背側部（２ｂ）にかけて延在する背側延在部とを有する弾性部材（例えば、糸ゴム５等）が設けられ、
前記腹側延在部が、前記腹側部側に略直線状に形成された腹側直線状部（５１ｂ）と、前記腹側直線状部よりも前記股下部側に、前記外装体の内側に凸の曲線状に形成された腹側曲線状部（５１ｃ）とを有し、前記背側延在部が、前記背側部側に略直線状に形成された背側直線状部（５２ｂ）と、前記背側直線状部よりも前記股下部側に、前記外装体の内側に凸の曲線状に形成された背側曲線状部（５２ａ）とを有するように、前記弾性部材は前記外装体に固着されてなることを特徴としている。
【０００６】
請求項１に記載の発明によれば、脚周りギャザーに設けられた弾性部材は、腹側延在部が、腹側部側に略直線状に形成された腹側直線状部と、腹側直線状部よりも股下部側に、外装体の内側に凸の曲線状に形成された腹側曲線状部とを有し、背側延在部が、背側部側に略直線状に形成された背側直線状部と、背側直線状部よりも股下部側に、外装体の内側に凸の曲線状に形成された背側曲線状部とを有するように、外装体に固着されている。従って、脚周りギャザーを、弾性部材の腹側直線状部及び背側直線状部によって、着用者のそけい部等の股間部の前後部分に密着させることができるとともに、弾性部材の腹側曲線状部及び背側曲線状部によって、着用者の股間部に密着させることができる。このように、弾性部材を着用者の股間部やそけい部等の形状を考慮して配置することができるので、脚周りギャザーの身体に対する密着性を向上させることができ、これにより、例えば尿等の水様成分の漏出を防止することができる。
【０００７】
請求項２に記載の発明は、例えば、図１等に示すように、請求項１に記載の吸収性物品において、
前記吸収体は、前記一対の脚周りギャザーの間にて、前記外装体の長手方向に延在して設けられ、
前記吸収体の幅方向側両縁部に、前記着用者の腹側から背側に亘って接触するギャザーシート（４）が設けられていることを特徴としている。
【０００８】
請求項２に記載の発明によれば、請求項１に記載の発明と同様の効果が得られるのは無論のこと、特に、一対の脚周りギャザーの間にて、外装体の長手方向に延在して設けられた吸収体の幅方向側両縁部に、着用者の腹側から背側に亘って接触するギャザーシートが設けられている。これにより、腹側曲線状部及び背側曲線状部によって、ギャザーシートのうちの着用者の股間部に対応する部分を股間部に適正に密着させることができるとともに、腹側直線状部及び背側直線状部によって、ギャザーシートのうちの着用者の股間部の前後部分に対応する部分を幅方向に拡げることができ、当該ギャザーシートの自由端部を起立させて着用者の股間部の前後部分に対して適正に密着させることができる。
【０００９】
請求項３に記載の発明は、例えば、図３等に示すように、請求項１又は２に記載の吸収性物品において、
前記腹側曲線状部は、前記腹側直線状部に連続して形成されるとともに、前記腹側直線状部側の端部（ｃ１）が前記着用者の恥骨に対応する位置に設けられていることを特徴としている。
【００１０】
請求項３に記載の発明によれば、腹側曲線状部は、腹側直線状部に連続して形成されるとともに、腹側直線状部側の端部が着用者の恥骨に対応する位置に設けられているので、弾性部材の配置を着用者の股間部及びこの股間部よりも腹側となる部分の形状を考慮したものとすることができ、請求項１又は２に記載の発明と同様の効果を得ることができる。
【００１１】
請求項４に記載の発明は、例えば、図３等に示すように、請求項１〜３の何れか一項に記載の吸収性物品において、
前記背側曲線状部は、前記背側直線状部に連続して形成されるとともに、前記背側直線状部側の端部（ａ１）が前記着用者の坐骨の下側部分に対応する位置に設けられていることを特徴としている。
【００１２】
請求項４に記載の発明によれば、背側曲線状部は、背側直線状部に連続して形成されるとともに、背側直線状部側の端部が着用者の坐骨の下側部分に対応する位置に設けられているので、弾性部材の配置を着用者の股間部及びこの股間部よりも背側となる部分の形状を考慮したものとすることができ、請求項１〜３に記載の発明と同様の効果を得ることができる。
【００１３】
請求項５に記載の発明は、例えば、図４及び図５等に示すように、請求項１〜４の何れか一項に記載の吸収性物品において、
前記外装体の前記脚周りギャザーよりも外側に、前記着用者の脚周りに対応させて脚周り用開口部（２１ｄ）が形成され、
前記弾性部材は、前記外装体の前記脚周り用開口部の縁部に、前記弾性部材の配置形状に対応して塗布された接着剤により前記外装体に接着されてなることを特徴としている。
【００１４】
請求項５に記載の発明によれば、請求項１〜４に記載の発明と同様の効果が得られるのは無論のこと、特に、弾性部材は、外装体の脚周り用開口部の縁部に、弾性部材の配置形状に対応して塗布された接着剤により外装体に接着されているので、弾性部材を外装体に接着させるために必要な接着剤の量を低減させて、吸収性物品の製造コストを低減することができるとともに、吸収性物品を着用した際の肌触りを向上させることができる。
【発明の効果】
【００１５】
請求項１に記載の発明によれば、脚周りギャザーを、弾性部材の腹側直線状部及び背側直線状部によって、着用者のそけい部等の股間部の前後部分に密着させることができるとともに、弾性部材の腹側曲線状部及び背側曲線状部によって、着用者の股間部に密着させることができる。このように、弾性部材を着用者の股間部やそけい部等の形状を考慮して配置することができるので、脚周りギャザーの身体に対する密着性を向上させることができ、これにより、例えば尿等の水様成分の漏出を防止することができる。
【００１６】
請求項２に記載の発明によれば、腹側曲線状部及び背側曲線状部によって、ギャザーシートのうちの着用者の股間部に対応する部分を股間部に適正に密着させることができるとともに、腹側直線状部及び背側直線状部によって、ギャザーシートのうちの着用者の股間部の前後部分に対応する部分を幅方向に拡げることができ、当該ギャザーシートの自由端部を起立させて着用者の股間部の前後部分に対して適正に密着させることができる。
【００１７】
請求項３に記載の発明によれば、弾性部材の配置を着用者の股間部及びこの股間部よりも腹側となる部分の形状を考慮したものとすることができる。
【００１８】
請求項４に記載の発明によれば、弾性部材の配置を着用者の股間部及びこの股間部よりも背側となる部分の形状を考慮したものとすることができる。
【００１９】
請求項５に記載の発明によれば、弾性部材を外装体に接着させるために必要な接着剤の量を低減させて、吸収性物品の製造コストを低減することができるとともに、吸収性物品を着用した際の肌触りを向上させることができる。
【発明を実施するための最良の形態】
【００２０】
以下に、本発明について、図面を用いて具体的な態様を説明する。ただし、発明の範囲は、図示例に限定されない。
本実施の形態においては、吸収性物品としてのパンツタイプの使い捨て紙おむつ（以下、「紙おむつ」という。）を一例として説明する。
ここで、図１は、本発明を適用した吸収性物品の好適な一例として例示する紙おむつの展開図であり、図２は、図１のII−II線における紙おむつの要部断面図であり、図３は、図１の破線で囲まれたＸ部分の拡大図であり、紙おむつに備わる糸ゴムの配置状態を説明するための図である。なお、図３において、吸収体及びギャザーシートの図示は省略している。また、図４は、紙おむつを組み立てた斜視図である。
【００２１】
図１及び図２に示すように、紙おむつ１００は、当該紙おむつ１００の着用者の身体と接する接触面に配されるトップシート１と、使用装着時に外部側に設けられる外装体２と、トップシート１と外装体２との間に介装される吸収体３と、吸収体３の幅方向側両縁部に設けられたギャザーシート４、４とを備えて構成されている。
【００２２】
トップシート１は、透液性を有する不織布からなり、吸収体３の表面側（身体側）を覆う形状に形成されている。
外装体２は、不透液性を有する不織布からなる外面シート２１と、この外面シート２１に貼設される内面シート２２とにより構成され、吸収体３の裏面側（装着時における外部側）を覆う形状に形成されている。
【００２３】
トップシート１及び外面シート２１を形成する不織布の素材としては、天然繊維、合成繊維のいずれを用いてもよい。天然繊維の例としては、綿、セルロース（木材パルプ）、羊毛、絹等が挙げられる。また合成繊維としては、ポリプロピレン（PP）、ポリエチレン（PE）、ナイロン、ポリエステル（PET）、アクリル等が挙げられ、またPE/PP混合不織布、PE/PET混合不織布、また、上記素材を適宜組み合わせたバイコンポーネント繊維（混合繊維）も用いることができる。
【００２４】
また、これらの繊維性素材から不織布を製造する方法としては、公知の方法を適宜用いることができ、例えば、ケミカルボンド、サーマルボンド、スパンレース等のいずれの方法を用いてもよく、また合成繊維等では、スパンボンド法、メルトブロー法、またこれらと上記の接着方法の組み合わせ等、いずれの方法を用いて製造してもよい。
【００２５】
外装体２の一方の端部には、当該紙おむつ１００の着用者の腹周りを被覆する腹側部２ａが形成され、他方の端部には、着用者の背周りを被覆する背側部２ｂが形成されているとともに、腹側部２ａと背側部２ｂとの間に、着用者の股間部を被覆する股下部２ｃが形成されている。
即ち、図４に示すように、腹側部２ａの幅方向側の各端部２１ａと背側部２ｂの幅方向側の各端部２１ｂがそれぞれ固着されて脇部を形成することで、紙おむつ１００がパンツ型の形状に成形されるようになっている。
【００２６】
腹側部２ａ及び背側部２ｂは、略等しい幅を有する略矩形状に形成されている。
また、腹側部２ａ及び背側部２ｂにおける外面シート２１と内面シート２２との間には、弾性部材としての複数本の糸ゴム２２ａ、２２ｂが挟み込まれて固着されている。これにより、紙おむつ１００の使用の際に、着用者の胴周りおよび腰周りで、紙おむつ１００が伸縮自在となるように構成されている。
【００２７】
また、外装体２の幅方向側の両縁部の各々には、腹側部２ａの幅方向側の各端部から股下部２ｃを通り背側部２ｂの幅方向側の各端部に亘って、紙おむつ１００の着用者の脚の周りを囲む一対の脚周り部２ｄが形成されている。
脚周り部２ｄは、着用者の脚周りに対応させて形成された脚周り用開口部２１ｄ（図４参照）２１ｄと、この脚周り用開口部２１ｄの縁部に沿って形成され、着用者の脚の周りに接触する脚周りギャザー２２ｄとが設けられている。
【００２８】
脚周りギャザー２２ｄには、外面シート２１と内面シート２２との間に、紙おむつ１００の使用の際に着用者の股間部やそけい部等に対する外装体２の密着性を向上させるための糸ゴム（弾性部材）５が配設されている。
具体的には、糸ゴム５として、腹側部２ａ側に３本の腹側ゴム５１、…が、背側部２ｂ側に３本の背側ゴム５２、…が配設されている。３本の腹側ゴム５１、…は、腹側部２ａの幅方向側の一方の端部２１ａから股下部２ｃの略中央を経て腹側部２ａの他方の端部２１ａに至るように並設され、また、３本の背側ゴム５２、…は、背側部２ｂの幅方向側の一方の端部２１ｂから股下部２ｃの略中央にて３本の腹側ゴム５１、…と交差して背側部２ｂの幅方向側の他方の端部２１ｂに至るように並設されている。即ち、糸ゴム５は、外装体２の腹側部２ａから股下部２ｃを通って背側部２ｂに亘るように延在して設けられている。
【００２９】
ここで、糸ゴム５の配置状態について、図３を参照して詳細に説明する。
図３に示すように、糸ゴム５のうち、腹側ゴム５１は、腹側部２ａ側に外装体２の内側に凸の曲線状に形成された第一曲線状部５１ａと、この第一曲線状部５１ａに連続して略直線状に形成された腹側直線状部５１ｂと、この腹側直線状部５１ｂに連続して外装体２の内側に凸の曲線状に形成された腹側曲線状部５１ｃとを有して外装体２に固着されている。ここで、腹側直線状部５１ｂと腹側曲線状部５１ｃとによって、腹側部２ａから股下部２ｃにかけて延在する腹側延在部が構成されている。また、糸ゴム５のうち、背側ゴム５２は、腹側曲線状部５１ｃの腹側部２ａと反対側の端部と交差して、この腹側曲線状部５１ｃと略等しい曲率で形成された背側曲線状部５２ａと、この背側曲線状部５２ａに連続して略直線状に形成された背側直線状部５２ｂと、この背側直線状部５２ｂに連続して外装体２の内側に凸の曲線状に形成された第二曲線状部５２ｃ（図１参照）とを有して外装体２に固着されている。ここで、背側曲線状部５２ａと背側直線状部５２ｂとによって、股下部２ｃから背側部２ｂにかけて延在する背側延在部が構成されている。
なお、紙おむつ１００が成形された状態では（図４参照）、第二曲線状部５２ｃの背側直線状部５２ｂと反対側の端部と第一曲線状部５１ａの腹側直線状部５１ｂと反対側の端部とが略連続するように配設される。
【００３０】
腹側曲線状部５１ｃの腹側直線状部５１ｂ側の端部ｃ１は、紙おむつ１００の着用者の恥骨に対応する位置に設けられている。具体的には、端部ｃ１の位置は、例えば、紙おむつ１００を展開した状態（例えば図１の状態）でその長手方向の中心から４０ｍｍ以上、望ましくは、７０ｍｍ以上腹側となっている。これにより、腹側ゴム５１の腹側曲線状部５１ｃ及び腹側直線状部５１ｂの配置を、着用者の股間部及びこの股間部よりも腹側となる部分の形状を考慮したものとすることができる。
背側曲線状部５２ａの背側直線状部５２ｂ側の端部ａ１は、紙おむつ１００の着用者の坐骨の下側部分に対応する位置に設けられている。具体的には、端部ａ１の位置は、例えば、紙おむつ１００を展開した状態でその長手方向の中心から４０ｍｍ以上、望ましくは、７０ｍｍ以上背側となっている。これにより、背側ゴム５２の背側曲線状部５２ａ及び背側直線状部５２ｂの配置を、着用者の股間部及びこの股間部よりも背側となる部分の形状を考慮したものとすることができる。
【００３１】
なお、腹側ゴム５１の、第一曲線状部５１ａ、腹側直線状部５１ｂ及び腹側曲線状部５１ｃ、並びに、背側ゴム５２の、背側曲線状部５２ａ、背側直線状部５２ｂ及び第二曲線状部５２ｃの各長さは、当該紙おむつ１００の寸法等に応じて適宜任意に変更可能となっている。
また、腹側曲線状部５１ｃ及び背側曲線状部５２ａの曲率も、当該紙おむつ１００の寸法等に応じて適宜任意に変更可能となっている。
【００３２】
ここで、糸ゴム５の外装体２に対する固着方法について、図５を参照して説明する。
なお、図５は、紙おむつ１００の製造工程における接着剤の塗布方法を説明するための図である。
本発明に係る紙おむつ１００の製造方法にあっては、外装体２に対して糸ゴム５を接着剤により接着して固着するようになっている。
【００３３】
先ず、紙おむつ１００の製造工程にあっては、所定の製造ライン上を、外装体２を構成する外面シート２１の隣り合うものどうしが、当該外面シート２１の幅方向に繋がった状態で（図５参照）搬送されるようになっている。ここで、接着剤の塗布前にあっては、各外面シート２１には、脚周り用開口部２１ｄに対応する部分が未だ形成されておらず、外面シート２１どうしが繋がっているので、脚周り用開口部２１ｄに対応する部分が連続した状態（図５中における二点鎖線で囲まれた内側の領域Ｒ）となっている。
そして、隣り合う外面シート２１どうしのうち、脚周り用開口部２１ｄに対応する部分（領域Ｒ）を含みこの部分よりも内側の接着領域Ｄに対して、糸ゴム５の配置形状に対応して塗布された接着剤により糸ゴム５が外面シート２１に接着されている。即ち、外面シート２１上に配置される糸ゴム５のうち、腹側ゴム５１の第一曲線状部５１ａ、腹側直線状部５１ｂ及び腹側曲線状部５１ｃ、並びに、背側ゴム５２の背側曲線状部５２ａ、背側直線状部５２ｂ及び第二曲線状部５２ｃに対応させて、当該外面シート２１における接着剤の塗布位置及び領域が多段階の形状とされた接着領域Ｄに接着剤を塗布する。その後、接着領域Ｄに糸ゴム５を所定の配置で配設して、この糸ゴム５を内面シート２２（図５においては図示略）で被覆することにより、内面シート２２及び外面シート２１によって糸ゴム５が挟み込まれて、糸ゴム５が外装体２内において固着された状態となる。
これにより、糸ゴム５を外装体２に接着させるために必要な接着剤の量を低減させて、紙おむつ１００の製造コストを低減することができるとともに、紙おむつ１００を着用した際の肌触りを向上させることができる。
【００３４】
吸収体３は、紙おむつ１００の使用時に体液としての尿等の水様成分を吸収するものであり、綿やパルプ等の吸収性素材や、繊維或いはフィルム等のシート状基材と高吸水性樹脂とが組み合わされて形成された吸収体コア３１と、この吸収体コア３１を覆う透液性のクレープ紙３２と、外装体２側に配設された防水フィルム３３により構成されている。
なお、吸収体３には、吸収体コア３１があれば足り、その他のクレープ紙３２、及び防水フィルム３３等については、必要に応じて適宜付加することが出来る。
【００３５】
吸収体コア３１は、身体の前胴周りから両脚の間を通り後胴周りに亘る位置に装着されるように、股下部２ｃにおける股下両端部間の幅を短尺、前胴周りにあたる腹側端部から後胴周りにあたる背側端部にかけてを長尺とする、略長方形状に形成されている。
【００３６】
クレープ紙３２は、吸収体コア３１を全体的に包装しており、透液性を有して体液を吸収する働きをなす。
防水フィルム３３は、遮水性を有し、クレープ紙３２を通過した水様分が外装体２側に漏れることを防止する働きをなす。
【００３７】
ギャザーシート４は、紙おむつ１００におけるトップシート１側において、吸収体３の幅方向側の両縁部に、吸収体コア３１の腹側端部から背側端部にわたり、股下両端部に相当する位置に備えられている。
また、ギャザーシート４は、不透液性の不織布のシートを二つ折りにし、折り合わされた面を、例えば、ホットメルトや、ヒートシール、超音波シール等により固着させることにより形成されている。具体的には、不織布のシートを二つ折りにした折り返し部分側の端部を自由端部４１、立体的な立ち上がりの起点を立ち上がり部４２、外装体２側に固定される端部を固定端部４３とする。固定端部４３が、トップシート１と、外面シート２１との間に挟まれるように固着されることにより、ギャザーシート４が固定されている。そして、不織布のシートが折り合わされた面間に、複数本（例えば、３本）の糸ゴム４４、…が挟み込まれて固着されている。
このような構造のギャザーシート４が紙おむつ１００に固着されて備えられた状態において、自由端部４１が起立することにより立体ギャザー４Ｈが形成される。そして、ギャザーシート４は、糸ゴム４４によって着用者の体型に合わせて伸縮自在に変形することで、着用者の身体に密着するようになっている。
【００３８】
なお、ギャザーシート４を形成する不織布は、上記したトップシート１及び外面シート２１を形成する不織布と略等しい素材から構成され、また、これら不織布の製造方法も略等しくなっている。
【００３９】
以上のように、本実施の形態の紙おむつ１００によれば、脚周りギャザー２２ｄには、腹側ゴム５１及び背側ゴム５２が設けられ、腹側ゴム５１は、腹側部２ａ側に略直線状に形成された腹側直線状部５１ｂと、この腹側直線状部５１ｂに連続して外装体２の内側に凸の曲線状に形成された腹側曲線状部５１ｃとを有して外装体２に固着され、背側ゴム５２は、背側部２ｂ側に略直線状に形成された背側直線状部５２ｂと、この背側直線状部５２ｂに連続して外装体２の内側に凸の曲線状に形成された背側曲線状部５２ａとを有して外装体２に固着されている。従って、脚周りギャザー２２ｄを、腹側ゴム５１の腹側直線状部５１ｂ及び背側ゴム５２の背側直線状部５２ｂによって、着用者のそけい部等の股間部の前後部分に密着させることができるとともに、腹側ゴムの腹側曲線状部５１ｃ及び背側ゴム５２の背側曲線状部５２ａによって、着用者の股間部に密着させることができる。このように、腹側ゴム５１及び背側ゴム５２を着用者の股間部やそけい部等の形状を考慮して配置することができるので、脚周りギャザー２２ｄの着用者の身体に対する密着性を向上させることができ、これにより、例えば尿等の水様成分の漏出を防止することができる。
【００４０】
また、腹側ゴム５１の腹側曲線状部５１ｃ及び背側ゴム５２の背側曲線状部５２ａによって、ギャザーシート４のうちの着用者の股間部に対応する部分を股間部に適正に密着させることができるとともに、腹側ゴム５１の腹側直線状部５１ｂ及び背側ゴム５２の背側直線状部５２ｂによって、ギャザーシート４のうちの着用者の股間部の前後部分に対応する部分を幅方向に拡げることができ、当該ギャザーシート４の自由端部４１を起立させ、即ち、立体ギャザー４Ｈを立ち上がらせて着用者の股間部の前後部分に対して適正に密着させることができる。
【００４１】
なお、本発明は、上記実施の形態に限定されることなく、本発明の趣旨を逸脱しない範囲において、種々の改良並びに設計の変更を行っても良い。
例えば、糸ゴム５としての腹側ゴム５１及び背側ゴム５２の本数は、３本に限られるものではない。また、弾性部材として糸ゴム５を例示したが、これに限られるものではなく、平板状のゴムであっても良いし、ゴム以外の弾性部材であっても良い。加えて、腹側ゴム５１と背側ゴム５２とが股下部２ｃにて交差する構成としたが、これに限られるものではなく、交差せずに離れて配置された構成であっても良い。また、腹側ゴム５１と背側ゴム５２とを備える糸ゴム５に替えて、腹側部２ａから股下部２ｃを通って背側部２ｂに亘る連続した１本の糸ゴム５を各脚周りギャザー２２ｄに備える構成であっても良い。
さらに、糸ゴム５の固着方法として接着剤を用いた接着を例示したが、これに限られるものではなく、例えば、ホットメルト、ヒートシール、超音波シール等であっても良い。
また、外面シート２１における接着剤の接着領域Ｄは、図５に示した形状に限られるものではなく、例えば、糸ゴム５の配置形状、即ち、曲線状部や直線状部の数に応じて接着領域Ｄの段階数を増減させても良いし、段階数をさらに多くして無段階、即ち、糸ゴム５の配置形状に沿うようにして曲線状に形成されても良い。
【００４２】
さらに、上記実施の形態では、外装体２を外面シート２１と内面シート２２の２枚で構成したが、これに限られるものではなく、１枚で構成しても良いし、３枚以上で構成しても良い。
【図面の簡単な説明】
【００４３】
【図１】本発明を適用した吸収性物品の好適な一例として例示する紙おむつの展開図である。
【図２】図１のII−II線における紙おむつの要部断面図である。
【図３】図１のＸ部分の拡大図である。
【図４】図１の紙おむつを組み立てた斜視図である。
【図５】図１の紙おむつの製造工程を説明するための図である。
【符号の説明】
【００４４】
１００  紙おむつ（吸収性物品）
２      外装体
２１    外面シート
２２    内面シート
２１ｄ  脚周り用開口部
２２ｄ  脚周りギャザー
３      吸収体
４      ギャザーシート
５      糸ゴム（弾性部材）
５１    腹側ゴム（弾性部材）
５１ｂ  腹側直線状部（腹側延在部）
５１ｃ  腹側曲線状部（腹側延在部）
５２    背側ゴム（弾性部材）
５２ａ  背側曲線状部（背側延在部）
５２ｂ  背側直線状部（背側延在部）
【図１】
2005087621.tif 000003
【図２】
2005087621.tif 000004
【図３】
2005087621.tif 000005
【図４】
2005087621.tif 000006
【図５】
2005087621.tif 000007